(57)【要約】【課題】電線を適当な押圧力による保持が容易で、電線の本数に拘わらず対応が可能なハーネス組立用電線保持具を得る。【解決手段】基体１１上に電線保持部１２が固定され、電線保持部１２のアーム１２ａ、１２ｂは一定の間隙を有し、これらの内側にはそれぞれブラシ１６ａ、１６ｂが内側を向いて取り付けられている。ブラシ１６ａ、１６ｂは基部１７ａ、１７ｂに植え付けられ、基部１７ａ、１７ｂがアーム１２ａ、１２ｂに固定されている。ブラシ１６ａ、１６ｂの先端は互いに接し噛み合うようにされている。このブラシ１６ａ、１６ｂ内に複数体の電線Ｗを通すと、電線Ｗはブラシ１６ａ、１６ｂにより保持され、所定の高さ位置に仮掛止される。また、電線Ｗの長手方向に対しても、ブラシ１６ａ、１６ｂによる電線Ｗに対する摩擦抵抗力により電線Ｗは不時に移動することがなくなる。【選択図】図２
2008176972.tif 000002
【特許請求の範囲】
【請求項１】
ハーネス組立板上に固定する基台にブラシを植え付けた電線保持部を取り付け、電線を前記ブラシ中に挿通し前記ブラシの弾性保持力によって前記電線を仮保持することを特徴とするハーネス組立用電線保持具。
【請求項２】
前記電線保持部は一対の前記ブラシ同士を対向させ、前記ブラシの先端同士を互いに接触させたことを特徴とする請求項１に記載のハーネス組立用電線保持具。
【請求項３】
前記電線保持部は前記ブラシを固定部に対向させ、前記ブラシの先端を前記固定部に接触させたことを特徴とする請求項１に記載のハーネス組立用電線保持具。
【請求項４】
前記電線保持部は三つ股のアームを有し、これらの各アームに前記ブラシを前記三つ股のアームの中心方向に向けて取り付けたことを特徴とする請求項１に記載のハーネス組立用電線保持具。
【請求項５】
前記ブラシは柄付きブラシとして、前記電線保持部に設けた取付治具に挿脱可能としたことを特徴とする請求項１に記載のハーネス組立用電線保持具。
【発明の詳細な説明】
【技術分野】
【０００１】
本発明は、ハーネス組立板上において、例えば自動車のワイヤハーネスを組み立てる場合に、複数本の電線を回路に応じて区分し仮保持するためのハーネス組立用電線保持具に関するものである。
【背景技術】
【０００２】
特許文献１にはハーネス組立用電線保持具として、図９に示すように上端に合成樹脂製のＵ字部１を有し、下端を金属材２としボルト３を組み合わせた多種の大きさの治具４が利用され、１個のワイヤハーネス組立板には１００個を越すような治具４が電線を仮掛止するために取り付けられて使用される。
【０００３】
図１０に示すように、ワイヤハーネス組立板５上には回路に応じて多数本の治具４が固定され、治具４のＵ字部１内には、回路の行先に応じて複数本の電線束６が掛け渡され、電線束６は例えば行先別に区分けがなされ、テーピングされる。
【０００４】
また、特許文献２には植毛テープを用いて電線を保持するクリップが開示されている。
【０００５】
【特許文献１】実開平６−３６１５０号公報
【特許文献２】実開昭６２−１５５２０９号公報
【発明の開示】
【発明が解決しようとする課題】
【０００６】
しかし、上述の特許文献１の治具４は、Ｕ字部１に掛止した電線束が動き易く、安定した保持ができないという問題点がある。
【０００７】
また、特許文献２においては、電線をほぼ恒久的に固定することなく係止する部材であり、電線の移動に摩擦抵抗を与えるために植毛テープが用いられている。しかし、ハーネス回路の組立用としては、任意の本数の電線を頻繁に出し入れすることには適していない。
【０００８】
本発明の目的は、上述の課題を解消し、電線を適当な押圧力による保持が容易で、電線の本数に拘わらず対応が可能なハーネス組立用電線保持具を提供することにある。
【課題を解決するための手段】
【０００９】
上述の目的を達成するための本発明に係るハーネス組立用電線保持具の技術的特徴は、ハーネス組立板上に固定する基台にブラシを植え付けた電線保持部を取り付け、電線を前記ブラシ中に挿通し前記ブラシの弾性保持力によって前記電線を仮保持することにある。
【発明の効果】
【００１０】
本発明に係るハーネス組立用電線保持具によれば、複数本の電線を目的に応じて容易に仮掛止することができる。
【発明を実施するための最良の形態】
【００１１】
本発明を図１〜図８に図示の実施例に基づいて詳細に説明する。
【実施例１】
【００１２】
図１は実施例１のハーネス組立用電線保持具を示し、基体１１の上部に電線保持部１２が固定されている。基体１１の下部は棒体部１３とされ、電線保持部１２はＵ字状に形成されたアーム１２ａ、１２ｂを有し、基体１１と溶接等により一体化されている。棒体部１３の中間部にフランジ部１３ａが設けられ、その下部にはハーネス組立板にナット１４を用いて螺設するためのねじ部１３ｂが設けられている。
【００１３】
電線保持部１２のアーム１２ａ、１２ｂは一定の間隙を有し、これらの内側にはそれぞれブラシ１６ａ、１６ｂが内側を向いて取り付けられている。ブラシ１６ａ、１６ｂは合成樹脂製の多数本の硬い糸状体が、基部１７ａ、１７ｂに植え付けられて形成され、基部１７ａ、１７ｂはアーム１２ａ、１２ｂに接着等により固定されている。ブラシ１６ａ、１６ｂの先端は互いに接し噛み合うようにされており、このブラシ１６ａ、１６ｂは、簡便には例えば歯ブラシの先端を利用することもできる。
【００１４】
図２に示すように、棒体部１３をハーネス組立板１５にナット１４を用いて固定し、ブラシ１６ａ、１６ｂ間に上方から複数体の電線Ｗを挿入すると、これらの電線Ｗはブラシ１６ａ、１６ｂにより保持され、適宜の高さ位置に仮掛止される。また、電線Ｗの長手方向に対しても、ブラシ１６ａ、１６ｂによる電線Ｗに対する弾性保持力により電線Ｗは不時に移動することがなくなる。
電線Ｗを電線保持部１２から抜き取る場合には、一括して電線束としてブラシ１６ａ、１６ｂ間から容易に抜き上げることができる。
【００１５】
なお、ブラシ１６ａ、１６ｂの先端同士は必ずしも互いに噛み合わなくとも、例えば図３に示すようにその先端同士が接する程度としてもよい。
【実施例２】
【００１６】
図４は実施例２のハーネス組立用電線保持具を上方から見た平面図であり、ブラシ１６ａ、１６ｂは平行でなく、例えばハの字状に斜めに配置されて対向するようにされている。
【００１７】
この実施例２では、多数の方向から集まった電線Ｗを一方向に向けて集束する場合や、一方向からの電線Ｗを多数方向に分岐する場合などに使用可能である。
【００１８】
或いは、図５に示すような端部に接続端子Ｔを接続した電線Ｗにおいて、接続端子Ｔを仮保持する場合にも、接続端子Ｔがアーム１２ａ、１２ｂ間から抜け出すことがなく好適に使用できる。
【実施例３】
【００１９】
図６は実施例３の平面図を示し、電線保持部１２は三つ股のアーム１２ｃ、１２ｄ、１２ｅを有し、各アーム１２ｃ、１２ｄ、１２ｅにそれぞれブラシ１６ｃ、１６ｄ、１６ｅが基部１７ｃ、１７ｄ、１７ｅを介して取り付けられている。ブラシ１６ｃ、１６ｄ、１６ｅの先端はそれぞれ３つのアーム１２ｃ、１２ｄ、１２ｅの中心方向に向けられ、電線Ｗはアーム１２ｃ、１２ｄ、１２ｅ間の３方の出入口の何れかから挿入、分岐ができるようにされ、ハーネス回路の分岐部、集合部に使用することができる。
【実施例４】
【００２０】
図７は電線Ｗを弯曲させ沿わせて保持するために用いる実施例４のハーネス組立用電線保持具を示している。電線保持部１２においては弯曲した板体から成る固定板１８の外側にブラシ１６ｆの先端が接するようにされ、電線Ｗを固定板１８に沿って弯曲させた状態で保持する場合に好適である。なお、固定板１８は必ずしも弯曲したものではなく平坦面であってもよい。
【実施例５】
【００２１】
図８は実施例５における柄付きブラシを容易に交換し得るハーネス組立用電線保持具の斜視図である。
【００２２】
ブラシは消耗品であり、頻繁な交換が必要とされるが、電線保持部１２に取付治具１９を設けて、電線保持部１２に設けた取付治具１９の挿込部１９ａ、１９ｂに例えば歯ブラシなどの柄付きブラシ２０ａ、２０ｂを挿脱自在とすることにより、ブラシの交換が容易となる。
【図面の簡単な説明】
【００２３】
【図１】実施例１の正面図である。
【図２】使用状態の説明図である。
【図３】変形例の正面図である。
【図４】実施例２の平面図である。
【図５】接続端子を付した電線の斜視図である。
【図６】実施例３の平面図である。
【図７】実施例４の斜視図である。
【図８】実施例５の斜視図である。
【図９】従来例のハーネス組立用電線保持具の正面図である。
【図１０】治具を取り付けたハーネス組立板の斜視図である。
【符号の説明】
【００２４】
１１  基体
１２  電線保持部
１２ａ〜１２ｅ  アーム
１３  棒体部
１３ａ  フランジ部
１３ｂ  ねじ部
１４  ナット
１５  ハーネス組立板
１６ａ〜１６ｆ  ブラシ
１７ａ〜１７ｆ  基部
１８  固定板
１９  取付治具
１９ａ、１９ｂ  挿込部
２０ａ、２０ｂ  柄付きブラシ
【図１】
2008176972.tif 000003
【図２】
2008176972.tif 000004
【図３】
2008176972.tif 000005
【図４】
2008176972.tif 000006
【図５】
2008176972.tif 000007
【図６】
2008176972.tif 000008
【図７】
2008176972.tif 000009
【図８】
2008176972.tif 000010
【図９】
2008176972.tif 000011
【図１０】
2008176972.tif 000012